(57)【要約】【課題】受光器を迅速かつ正確に設置できるアタッチメントを提案する。【解決手段】レーザー照射器より照射されたレーザービームの縦ラインもしくは水平ラインを検知する受光器の位置決め用アタッチメントにおいて、前記受光器（１）を載置、固定保持する基台（２）と、この基台（２）に載置、固定された受光器（１）の受光面（１ａ）における検知基準ライン（Ｌ）に合致する尖端（３ａ）を有し該尖端（３ａ）を設置面に接触させて該基台（２）を支える少なくとも１つの突起（３）とを備え、前記基台（２）に、前記突起（３）の尖端（３ａ）を支点に基台（２）を上下に移動させてその傾きを調整し受光器（１）の受光面（１ａ）における検知基準ライン（Ｌ）とレーザービームの縦ラインもしくは水平ラインとを一致させる調整ねじ（４）を設ける。【選択図】図１
2005227061.tif 000002
【特許請求の範囲】
【請求項１】
レーザー照射器より照射されたレーザービームの縦ラインもしくは水平ラインを検知する受光器の位置決め用アタッチメントであって
前記受光器を載置、固定保持する基台と、この基台に載置、固定された受光器の受光面における検知基準ラインに合致する尖端を有し該尖端を設置面に接触して該基台を支える少なくとも１つの突起とを備え、
前記基台に、前記突起の尖端を支点に基台を上下に移動させてその傾きを調整し受光器の受光面における検知基準ラインとレーザービームの縦ラインもしくは水平ラインとを一致させる調整ねじを設けたことを特徴とする受光器の位置決め用アタッチメント。
【請求項２】
前記基台は、受光器の背面に密着してそれを支える縦板と、この縦板の縁部で直角につながり該受光器をその底部より支える横板からなる、請求項１記載の受光器の位置決め用アタッチメント。
【請求項３】
前記基台は、受光器の受光面に交差するとともに、そのエッヂが検知基準ラインに合致するガイド板を備える、請求項１記載の受光器の位置決め用アタッチメント。
【請求項４】
レーザー照射器より照射されたレーザービームの縦ラインもしくは水平ラインを検知する受光器であって
前記受光器のケース本体側壁に、該受光器の受光面における検知基準ラインに合致する尖端を有し該尖端を設置面に接触させて受光器を横置きにて支える少なくとも１つの突起と、前記突起の尖端を支点にして受光器を上下に移動させてその傾きを調整し受光器の受光面における検知基準ラインとレーザービームの縦ラインもしくは水平ラインとを一致させる調整ねじを設けたことを特徴とする受光器。
【請求項５】
前記ケース本体側壁に、受光器の受光面に交差するとともに、そのエッヂが検知基準ラインに合致するガイド板を備える、請求項４記載の受光器。
【発明の詳細な説明】
【技術分野】
【０００１】
本発明は、建設現場等において墨出しを行う際に用いられるレーザー墨出し器の受光器に適用して好適な位置決め用アタッチメントに関するものであり、照射器より射出されたレーザービームを受光する受光器を正確に配置しようとするものである。
【背景技術】
【０００２】
近年、建築や土木の現場では、照射器より照射されたレーザービームを距離を隔てて配置した受光器で受光しそれを基準にして受光器のケース側面に設けられたケガキ部位にてケガキ線を入れるための目印を付けることによって墨出し作業が行われるようになってきており、これにより正確でしかも効率的な墨出し作業が可能になってきている。
【０００３】
レーザービームを受光する受光器は、けがき線を入れるべき壁や天井あるいは床等に設置されるもので、その設置面が傾斜していたり凹凸がある場合には正確な受光ができないことから、該受光器を設置するに当たっては、照射されたレーザービームが受光器の受光面における検知基準ラインと一致し、しかも受光器の受光面に対して直角になるように受光器本体が配置されているかどうがとくに重要になっている。
【０００４】
従来、このような受光器の位置合わせは、受光器に設けられている気泡管を使い目視によって行われているが、床や地面に照射されたレーザービームを受光して目印を入れる作業においては、受光器の下に適当な厚さのライナー（端材等）を敷き込んで位置合わせが行われているのが普通であるところ、このような作業は手間がかかるため墨出し作業がレーザービームを用いて行っているにもかかわらずその作業を効率的に行うことができないところに問題を残していた。
【０００５】
この点に関する先行技術としては、ケーシングの正面側に、凹所底面が受光部の受光面と略面一状態となるような凹所を設け、この凹所底面に、墨出し装置本体から照射されるレーザー光を受光部の中心に位置合わせする位置合わせ線を設けた構造になるレーザー受光器が知られている（例えば、特許文献１参照）。
【０００６】
【特許文献１】特開２００１−２０８５４２号公報
【発明の開示】
【発明が解決しようとする課題】
【０００７】
本発明の課題は、受光器を床面等において墨出し作業を行う場合において、受光器を簡便かつ正確に配置することができる新規な位置決め用アタッチメントを提案するところにある。
【課題を解決するための手段】
【０００８】
本発明は、レーザー照射器より照射されたレーザービームの縦ラインもしくは水平ラインを検知する受光器の位置決め用アタッチメントであって
前記受光器を載置、固定保持する基台と、この基台に載置、固定された受光器の受光面における検知基準ラインに合致する尖端を有し該尖端を設置面に接触して該基台を支える少なくとも１つの突起とを備え、
前記基台に、前記突起の尖端を支点に基台を上下に移動させてその傾きを調整し受光器の受光面における検知基準ラインとレーザービームの縦ラインもしくは水平ラインとを一致させる調整ねじを設けたことを特徴とする受光器の位置決め用アタッチメントである。
【０００９】
上記の構成になるアタッチメントにおいて、基台は、受光器の背面に密着してそれを支える縦板と、この縦板の縁部で直角につながり該受光器をその底部より支える横板にて構成するのがよい。
【００１０】
また、前記基台は、受光器の受光面に交差するとともに、そのエッヂが検知基準ラインに合致するガイド板を備えるものが望ましい。
【００１１】
また、本発明は、レーザー照射器より照射されたレーザービームの縦ラインもしくは水平ラインを検知する受光器であって、前記受光器のケース本体側壁に、該受光器の受光面における検知基準ラインに合致する尖端を有し該尖端を設置面に接触させて受光器を横置きにて支える少なくとも１つの突起と、前記突起の尖端を支点にして受光器を上下に移動させてその傾きを調整し受光器の受光面における検知基準ラインとレーザービームの縦ラインもしくは水平ラインとを一致させる調整ねじを設けたことを特徴とする受光器であり、前記ケース本体側壁には、受光器の受光面に交差するとともに、そのエッヂが検知基準ラインに合致するガイド板を設けることができる。
【発明の効果】
【００１２】
尖端を有する突起を設けた基台にて受光器を支え、調整ねじの締め込み調整により該突起を支点に受光器を上下動させてその傾きを調整するため設置面の状態にかかわりなしに正確な配置（水平配置）が可能になる。
【００１３】
受光器の受光面に交差するとともにそのエッヂが基準ラインに合致するガイド板を配置することで、レーザービームを確実に把握でき正確で効率的な墨出し作業が行い得る。
【００１４】
上記の突起を受光器のケース本体側壁に直接設けることでアタッチメントの取り付け工程を省略して効率的な作業が行える。
【発明を実施するための最良の形態】
【００１５】
以下、図面を用いて本発明をより具体的に説明する。
図１、図２（ａ）（ｂ）は本発明にしたがうアタッチメントの実施の形態を示したものであり、図１はアタッチメントを受光器とともに示した外観斜視図であり、図２は側面及び底面を示した図である。
【００１６】
図１、図２における番号１はレーザー照射器より照射されたレーザービームを検知する受光器である。この受光器１は受光面１ａに検知基準ラインＬを有しており、そのケース側壁には検知基準ラインＬと一致する位置でケガキ線を入れる際に印を付けることができるケガキ部位１ｂ、１ｃが設けられている。
【００１７】
また、２は受光器１を載置し取り付けねじのねじ込みにて固定保持する例で示した基台である。この基台２は受光器１の背面に密着して支える縦板２ａとこの縦板２ａの縁部で直角につながり受光器１を底部で支える横板２ｂからなる。
【００１８】
３は基台２の横板２ｂの底面に設けられた突起である。この突起３は基台２に載置、固定された受光器１の受光面１ａにおける検知基準ラインＬに合致する尖端３ａを有し該尖端３ａを設置面（床面や地面等）に接触して該基台２を支える機能を有する。
【００１９】
また、４は突起３の尖端３ａを支点に基台２を上下に移動させその傾きを調整する調整ねじ、５は基台２に一体的に設けられたガイド板である。このガイド板５は受光器１の検知基準ラインＬに合致するエッジ５ａを有していてレーザービームが受光器１の検知基準ラインＬと一致すると該レーザービームはエッヂ５ａとも合致し、レーザービームがエッヂ５ａに沿っており、かつケガキ部１ｂ、１ｃに位置していることで受光器１が正確に設置されていることを判断する。
【００２０】
受光器１を基台２に取り付け基台２とともに受光器１を床面に置いたのち、図３に示すように調整ねじ４を時計周りあるいは反時計周りにねじ込むことで基台２は突起３を支点にして上下に移動させ受光器１の気泡管の気泡をその中心に一致させると基台２は水平に保たれることとなり、この状態で受光器１の受光面１ａにおける検知基準ラインＬとレーザービーム（縦ラインあるいは水平ライン）を一致させることで正確に目印を入れることが可能となる。
【００２１】
図４は受光器１を壁際に配置して床面にケガキ線を入れる場合（地墨合わせ）の状況を示したものである。
【００２２】
床面にケガキ線を入れる従来の作業では、受光器１の受光面１ａと同じ面にあるケガキ部位１ｃを使用してケガキ線を入れるための印を付けることになるが、作業者がしゃがみ込んで上から見たとき、レーザービームよるライン（地墨線）が作業者によって遮られるためケガキ部位１ｃと地墨線とを合わせ難くなることがあり、また、受光面１ａが地墨線に対して直角にあるかどうかについては受光器１のケガキ部位１ａ、１ｃによって地墨線との一致を確認することとなるが、受光器１本体で地墨線が隠れてしまうこともあって正確な位置合わせができないおそれがあるばかりか、さらには、ケガキ部位１ａ、１ｃの２点の目印で確認するため受光器１の厚みが薄いほど正確さに欠けることとなる。本発明にしたがうアタッチメントは、上記のような状況にあってもガイド板５により地墨線と受光部が直角になっているかどうか把握できるため正確な位置合わせが可能となる。
【００２３】
ガイド板５はケガキ部位１ａ、１ｃの延長上で受光面１ｂに対して直角な方向に配置されるものであるから、このガイド板５のエッジ５ａに地墨線を合わせることで正確な位置合わせが可能であり、また、上から覗いても見易いうえ、角度のずれが簡単に把握できる。
【００２４】
本発明にしたがうアタッチメントは受光器１とは別体の構成として示したが、図５（ａ）（ｂ）に示すように受光器１の本体部分（ケース本体側壁）に突起３、調整ねじ４、ガイド板５を一体的に設けたものであってもよい。
【００２５】
図６は本発明にしたがうアタッチメントの他の実施の形態を示したものである。ガイド板５は枢支軸６を介して揺動可能に支持して収納できる構造としてもよい。
【００２６】
調整ねじ４については、図７に示すように基台２の横板２ｂの両端域にそれぞれ設けることができ、これにより微調整が可能になる。
【００２７】
受光器１は基台２の縦板２ａにねじ止めにて固定することができるが、図８に示す如く、受光器１のケース側面にねじ穴７を設け（基台２に設けた凸８に嵌合する穴９を設けて位置決めすることもできる）て右側を下にしても、あるいは左側を下にしもてねじ止めできるようにしておくことでさらに使い勝手が改善される。
【００２８】
また、受光器１の取り付けは、図９に示すような係止片１０、あるいは図１０に示すようなバンド１１で行うようにしてもよく、この点については限定されない。
【産業上の利用可能性】
【００２９】
位置合わせが正確にしかも簡単に行い得る受光器用のアタッチメントを提供できる。
【図面の簡単な説明】
【００３０】
【図１】本発明にしたがうアタッチメントの実施の形態を示した図である。
【図２】（ａ）（ｂ）はアタッチメントの正面及び側面を示した図である。
【図３】（ａ）（ｂ）は受光器の設置状況を示した図である。
【図４】地墨合わせの状況を示した図である。
【図５】（ａ）（ｂ）は本発明にしたがう受光器の側面及び底面を示した図である。
【図６】本発明にしたがうアタッチメントの他の実施の形態を示した図である。
【図７】本発明にしたがうアタッチメントの他の実施の形態を示した図である。
【図８】本発明にしたがうアタッチメントの他の実施の形態を示した図である。
【図９】本発明にしたがうアタッチメントの他の実施の形態を示した図である。
【図１０】本発明にしたがうアタッチメントの他の実施の形態を示した図である。
【符号の説明】
【００３１】
１  受光器
１ａ  受光面
１ｂ  ケガキ部位
１ｃ  ケガキ部位
２  基台
２ａ  縦板
２ｂ  横板
３  突起
４  調整ねじ
５  ガイド板
６  枢支軸
７  ねじ穴
８  凸
９  穴
１０  係止片
１１  バンド
【図１】
2005227061.tif 000003
【図２】
2005227061.tif 000004
【図３】
2005227061.tif 000005
【図４】
2005227061.tif 000006
【図５】
2005227061.tif 000007
【図６】
2005227061.tif 000008
【図７】
2005227061.tif 000009
【図８】
2005227061.tif 000010
【図９】
2005227061.tif 000011
【図１０】
2005227061.tif 000012